(57)【要約】 【課題】各種情報を適切に出力できるナビゲーション装置を提供する。【解決手段】ナビゲーション装置２００の処理部２７０は、コンテンツデータを取得して、出力装置４００の表示部４２０で表示させる。処理部２７０は、出力装置４００で出力させているコンテンツデータの番組連動データを取得する。処理部２７０は、この番組連動データの内容データが地点文字列情報の文字列を有していることを認識すると、この文字列で示される地点に対応する地図情報をコンテンツ関連地図情報として取得して、出力手段４００の表示部４２０で表示させる。【選択図】  図１
2006017537.tif 000002
【特許請求の範囲】
【請求項１】
画像データを含む番組データを取得する番組データ取得手段と、
前記番組データとともに配信される前記番組データの内容に関する内容データを取得する内容データ取得手段と、
前記画像データを表示手段にて表示させる制御をする表示制御手段と、
前記内容データから地点に関する地点情報を検索する検索手段と、
前記検索した地点情報の地点を含む所定領域に対応する地図情報を取得する地図情報取得手段と、
を具備し、
前記表示制御手段は、前記取得した地図情報を前記表示手段にて表示させる制御をする
ことを特徴とした出力制御装置。
【請求項２】
請求項１に記載の出力制御装置であって、
前記表示制御手段は、前記表示手段にて表示される前記画像データの少なくとも一部に代えて前記地図情報を表示させる制御をする
ことを特徴とした出力制御装置。
【請求項３】
請求項１または請求項２に記載の出力制御装置であって、
前記地図情報は、地点の座標に関する座標情報を有し、
前記地図情報取得手段は、前記検索した地点情報の地点に対応する前記座標情報を有する地図情報を取得する
ことを特徴とした出力制御装置。
【請求項４】
請求項１または請求項２に記載の出力制御装置であって、
前記地図情報は、地点を示す地図地点文字データを有し、
前記地図情報取得手段は、前記検索した地点情報の地点を示す前記地図地点文字データを有する地図情報を取得する
ことを特徴とした出力制御装置。
【請求項５】
請求項１ないし請求項４のいずれかに記載の出力制御装置であって、
前記番組データの配信が開始される日時に関する配信開始日時情報および前記番組データの配信が終了する日時に関する配信終了日時情報を取得する配信日時情報取得手段を具備し、
前記表示制御手段は、前記配信開始日時情報の日時に前記地図情報の表示を開始させ、前記配信終了日情報の日時に前記地図情報の表示を終了させる制御をする
ことを特徴とした出力制御装置。
【請求項６】
請求項１ないし請求項４のいずれかに記載の出力制御装置であって、
前記表示制御手段は、前記地図情報の表示を開始させてから所定時間以上経過したことを認識すると前記地図情報の表示を終了させる制御をする
ことを特徴とした出力制御装置。
【請求項７】
請求項１ないし請求項６のいずれかに記載の出力制御装置であって、
前記表示制御手段は、前記地図情報に関連付けられ取得した地点に関連する地図関連付け情報を前記表示手段にて表示させる制御をする
ことを特徴とした出力制御装置。
【請求項８】
請求項１ないし請求項７のいずれかに記載の出力制御装置であって、
移動体が移動する経路近傍の地点に関する経路地点情報を取得する経路地点情報取得手段を具備し、
前記検索手段は、前記経路地点情報を前記地点情報として認識し、この認識した地点情報を前記内容データから検索する
ことを特徴とした出力制御装置。
【請求項９】
請求項１ないし請求項８のいずれかに記載の出力制御装置であって、
移動体の外部の景観に関する景観情報を取得して、この取得した景観情報の景観に存在する地点に関する景観地点情報を認識する景観地点情報認識手段を具備し、
前記検索手段は、前記景観地点情報を前記地点情報として認識し、この認識した地点情報を前記内容データから検索する
ことを特徴とした出力制御装置。
【請求項１０】
請求項１ないし請求項９のいずれかに記載の出力制御装置であって、
移動体の現在位置に関する現在位置情報を取得する現在位置情報取得手段と、
前記現在位置情報、前記検索手段で検索した地点情報、および、前記地図情報に基づいて前記現在位置から前記地点までの経路を探索する経路探索手段と、
前記探索した経路を経路出力手段にて出力させる制御をする経路出力制御手段と、
を具備したことを特徴とした出力制御装置。
【請求項１１】
移動体が移動する経路近傍の地点に関する経路地点情報を取得する経路地点情報取得手段と、
前記経路地点情報の地点を含む所定領域に対応する地図情報を取得する地図情報取得手段と、
前記地図情報を表示手段にて表示させる制御をする表示制御手段と、
画像データを含む番組データを取得する番組データ取得手段と、
前記番組データとともに配信される前記番組データの内容に関する内容データを取得する内容データ取得手段と、
前記内容データから前記経路地点情報を検索する検索手段と、
を具備し、
前記表示制御手段は、前記経路地点情報を検索できた前記内容データに対応する前記番組データの画像データを前記表示手段にて表示させる制御をする
ことを特徴とした出力制御装置。
【請求項１２】
請求項１１に記載の出力制御装置であって、
前記表示制御手段は、前記表示手段にて表示される前記地図情報の少なくとも一部に代えて前記画像データを表示させる制御をする
ことを特徴とした出力制御装置。
【請求項１３】
請求項１１または請求項１２に記載の出力制御装置であって、
前記番組データの配信が開始される日時に関する配信開始日時情報および前記番組データの配信が終了する日時に関する配信終了日時情報を取得する配信日時情報取得手段を具備し、
前記表示制御手段は、前記配信開始日時情報の日時に前記画像データの表示を開始させ、前記配信終了日情報の日時に前記画像データの表示を終了させる制御をする
ことを特徴とした出力制御装置。
【請求項１４】
請求項１１または請求項１２に記載の出力制御装置であって、
前記表示制御手段は、前記画像データの表示を開始させてから所定時間以上経過したことを認識すると前記画像データの表示を終了させる制御をする
ことを特徴とした出力制御装置。
【請求項１５】
請求項１１ないし請求項１４のいずれかに記載の出力制御装置であって、
前記表示制御手段は、前記番組データに関連付けられ取得した前記番組データに関連する番組関連付け情報を前記表示手段にて表示させる制御をする
ことを特徴とした出力制御装置。
【請求項１６】
請求項１１ないし請求項１５のいずれかに記載の出力制御装置であって、
前記内容データを内容データ出力手段にて出力させる制御をする内容データ出力制御手段を具備した
ことを特徴とした出力制御装置。
【請求項１７】
請求項１１ないし請求項１６のいずれかに記載の出力制御装置であって、
移動体の外部の景観に関する景観情報を取得して、この取得した景観情報の景観に存在する地点に関する景観地点情報を認識する景観地点情報認識手段を具備し、
前記検索手段は、前記景観地点情報を前記経路地点情報として認識し、この認識した経路地点情報を前記内容データから検索する
ことを特徴とした出力制御装置。
【請求項１８】
請求項１ないし請求項１７のいずれかに記載の出力制御装置であって、
前記番組データとともにこの番組データに対応する前記地図情報を記憶手段に記憶させる制御をする記憶制御手段を具備した
ことを特徴とした出力制御装置。
【請求項１９】
請求項１８に記載の出力制御装置であって、
前記表示手段にて表示された前記地図情報を前記記憶手段から検索し、この検索した地図情報に対応する番組データを取得する地図対応番組取得手段と、
この地図対応番組取得手段で取得した前記番組データを地図対応番組出力手段にて出力させる制御をする地図対応番組出力制御手段と、
を具備したことを特徴とした出力制御装置。
【請求項２０】
請求項１８または請求項１９に記載の出力制御装置であって、
移動体の現在位置に関する現在位置情報を取得する現在位置情報取得手段と、
前記現在位置情報の現在位置を含む前記地図情報を前記記憶手段から検索し、この検索した地図情報に対応する前記番組データを取得する現在位置対応番組取得手段と、
この現在位置対応番組取得手段で取得した前記番組データを現在位置対応番組出力手段にて出力させる制御をする現在位置対応番組出力制御手段と、
を具備したことを特徴とした出力制御装置。
【請求項２１】
演算手段により地図情報を表示手段にて表示させる制御をする出力制御方法であって、
前記演算手段は、
画像データを含む番組データを取得し、
前記番組データとともに配信される前記番組データの内容に関する内容データを取得し、
前記画像データを前記表示手段にて表示させる制御をし、
前記内容データから地点に関する地点情報を検索し、
この検索した地点情報の地点を含む所定領域に対応する前記地図情報を取得し、
この取得した地図情報を前記表示手段にて表示させる制御をする
ことを特徴とする出力制御方法。
【請求項２２】
演算手段により画像データを含む番組データの前記画像データを表示手段にて表示させる制御をする出力制御方法であって、
前記演算手段は、
移動体が移動する経路近傍の地点に関する経路地点情報を取得し、
前記経路地点情報の地点を含む所定領域に対応する地図情報を取得し、
前記地図情報を前記表示手段にて表示させる制御をし、
前記番組データを取得し、
前記番組データとともに配信される前記番組データの内容に関する内容データを取得し、
前記内容データから前記経路地点情報を検索し、
前記経路地点情報を検索できた前記内容データに対応する前記番組データの画像データを前記表示手段にて表示させる制御をする
ことを特徴とする出力制御方法。
【請求項２３】
演算手段を、請求項１ないし請求項２０のいずれかに記載の出力制御装置として機能させる
ことを特徴とした出力制御プログラム。
【請求項２４】
請求項２１または請求項２２に記載の出力制御方法を演算手段に実行させる
ことを特徴とした出力制御プログラム。
【請求項２５】
請求項２３または請求項２４に記載の出力制御プログラムが演算手段にて読取可能に記録された
ことを特徴とした出力制御プログラムを記録した記録媒体。
【発明の詳細な説明】
【技術分野】
【０００１】
本発明は、各種情報を出力する出力制御装置、その方法、そのプログラム、および、そのプログラムを記録した記録媒体に関する。
【背景技術】
【０００２】
従来、放送波を利用して配信されるＥＰＧ（Electric Program Guide）データを取得して、このＥＰＧデータに基づいて録画予約を設定できる記録再生装置が知られている（例えば、特許文献１参照）。
【０００３】
特許文献１に記載のものは、ＴＳ（Transport Stream）として配信されるＳＩ（Service Information）に基づいてＥＰＧテキストデータを作成する。そして、このＥＰＧテキストデータに基づいて番組表を表示させる。さらに、この番組表の枠により仕切られた番組セルに、所定の時間帯に放送される番組のタイトルや概要などを表示させる。この後、利用者は、番組表上に移動可能に表示されたカーソルを所望の番組に対応する番組セルに移動させ、決定キーを押すことにより視聴予約を設定する。
【０００４】
【特許文献１】特開２００２−１１２１４２号公報（第４頁左欄−第１３頁左欄）
【発明の開示】
【発明が解決しようとする課題】
【０００５】
しかしながら、上述した特許文献１に記載のような記録再生装置では、番組毎の視聴予約しか設定できないため、例えば番組の特定の場面に関連する地点や、所定の地点に特有な情報が不明であるという不都合がある。このため、より良好な情報を出力できる構成が望まれている。
【０００６】
本発明は、このような実情に鑑みて、各種情報を適切に出力可能な出力制御装置、その方法、そのプログラム、および、そのプログラムを記録した記録媒体を提供することを１つの目的とする。
【課題を解決するための手段】
【０００７】
請求項１に記載の発明は、画像データを含む番組データを取得する番組データ取得手段と、前記番組データとともに配信される前記番組データの内容に関する内容データを取得する内容データ取得手段と、前記画像データを表示手段にて表示させる制御をする表示制御手段と、前記内容データから地点に関する地点情報を検索する検索手段と、前記検索した地点情報の地点を含む所定領域に対応する地図情報を取得する地図情報取得手段と、を具備し、前記表示制御手段は、前記取得した地図情報を前記表示手段にて表示させる制御をすることを特徴とした出力制御装置である。
【０００８】
請求項１１に記載の発明は、移動体が移動する経路近傍の地点に関する経路地点情報を取得する経路地点情報取得手段と、前記経路地点情報の地点を含む所定領域に対応する地図情報を取得する地図情報取得手段と、前記地図情報を表示手段にて表示させる制御をする表示制御手段と、画像データを含む番組データを取得する番組データ取得手段と、前記番組データとともに配信される前記番組データの内容に関する内容データを取得する内容データ取得手段と、前記内容データから前記経路地点情報を検索する検索手段と、を具備し、前記表示制御手段は、前記経路地点情報を検索できた前記内容データに対応する前記番組データの画像データを前記表示手段にて表示させる制御をすることを特徴とした出力制御装置である。
【０００９】
請求項２１に記載の発明は、演算手段により地図情報を表示手段にて表示させる制御をする出力制御方法であって、前記演算手段は、画像データを含む番組データを取得し、前記番組データとともに配信される前記番組データの内容に関する内容データを取得し、前記画像データを前記表示手段にて表示させる制御をし、前記内容データから地点に関する地点情報を検索し、この検索した地点情報の地点を含む所定領域に対応する前記地図情報を取得し、この取得した地図情報を前記表示手段にて表示させる制御をすることを特徴とする出力制御方法である。
【００１０】
請求項２２に記載の発明は、演算手段により画像データを含む番組データの前記画像データを表示手段にて表示させる制御をする出力制御方法であって、前記演算手段は、移動体が移動する経路近傍の地点に関する経路地点情報を取得し、前記経路地点情報の地点を含む所定領域に対応する地図情報を取得し、前記地図情報を前記表示手段にて表示させる制御をし、前記番組データを取得し、前記番組データとともに配信される前記番組データの内容に関する内容データを取得し、前記内容データから前記経路地点情報を検索し、前記経路地点情報を検索できた前記内容データに対応する前記番組データの画像データを前記表示手段にて表示させる制御をすることを特徴とする出力制御方法である。
【００１１】
請求項２３に記載の発明は、演算手段を、請求項１ないし請求項２０のいずれかに記載の出力制御装置として機能させることを特徴とした出力制御プログラムである。
【００１２】
請求項２４に記載の発明は、請求項２１または請求項２２に記載の出力制御方法を演算手段に実行させることを特徴とした出力制御プログラムである。
【００１３】
請求項２５に記載の発明は、請求項２３または請求項２４に記載の出力制御プログラムが演算手段にて読取可能に記録されたことを特徴とした出力制御プログラムを記録した記録媒体である。
【発明を実施するための最良の形態】
【００１４】
［第１の実施の形態］
以下に、本発明の第１の実施の形態を図面に基づいて説明する。この第１の実施の形態では、本発明の出力制御装置を有するナビゲーション装置を備えたナビゲーションシステムであって、移動体である例えば車両の走行を案内誘導するとともに、放送波を利用して送信されるテレビ番組などのコンテンツを出力させる構成を例示して説明する。また、コンテンツの特定の場面に対応する音声データや映像データと、この特定の場面に連動する後述する番組連動データと、が同期して出力される構成を例示して説明する。なお、ナビゲーションシステムとしては、車両の走行を案内誘導する構成に限らず、いずれの移動体の交通状況を報知する構成が対象となる。図１は、ナビゲーションシステムの概略構成を示すブロック図である。図２は、地図情報を構成する表示用データのテーブル構造を模式的に示す概念図である。図３は、地図情報を構成するマッチングデータのテーブル構造を模式的に示す概念図である。図４は、ナビゲーション装置を構成する処理部の概略構成を示すブロック図である。図５は、表示画面の一例を示す模式図である。図６は、表示画面の一例を示す模式図である。
【００１５】
〔ナビゲーションシステムの構成〕
図１において、１００はナビゲーションシステムである。このナビゲーションシステム１００は、移動体である例えば車両の移動状況に対応して移動に関する案内を報知したり、例えば車両が移動する位置に関連するテレビ番組などのコンテンツやコンテンツに関連する地図を出力したりするシステムである。なお、移動体としては、車両に限らず航空機、船舶などいずれの移動体が対象となる。そして、ナビゲーションシステム１００は、ナビゲーション装置２００と、出力装置４００と、撮像手段５００と、などを備えている。
【００１６】
出力装置４００は、ナビゲーション装置２００から入力される地図情報やコンテンツデータなどを受信して出力する。そして、この出力装置４００は、音声出力部４１０と、表示手段である表示部４２０と、などを備えている。
【００１７】
音声出力部４１０は、例えば図示しないスピーカなどの発音手段を有している。この音声出力部４１０は、ナビゲーション装置２００から音声信号として送信される音声データを発音手段から音声として出力させる。ここで、音声により出力する情報としては、例えば車両の走行方向や走行状況、交通状況など車両の走行を案内する各種情報、コンテンツの音声などが例示できる。なお、発音手段は、例えば図示しないＴＶ受信機で受信したＴＶ音声データなどをも適宜出力可能である。また、音声出力部４１０は、発音手段を設けた構成に限らず、車両に配設されている発音手段を利用する構成としてもよい。
【００１８】
表示部４２０は、ナビゲーション装置２００から画像信号として送信される画像データを表示させる。ここで、表示させる情報としては、地図情報、検索情報、コンテンツの画像、コンテンツの特定の場面に連動する各種情報、データ放送、合成画像などが例示できる。この表示部４２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。なお、表示部４２０は、例えばＴＶ受信機で受信したＴＶ映像データなどをも適宜出力可能である。
【００１９】
撮像手段５００は、例えば車両の図示しないフロントガラス近傍に配設されている。なお、ここでは、撮像手段５００がフロントガラス近傍に配設されている構成について例示するが、これに限らず例えば図示しない筐体の外周部などに配設する構成などとしてもよい。この撮像手段５００は、車両の前方に位置する例えば方面看板などの車両の外部に存在する景観情報としての物体の映像（以下、外部映像と称す）を撮像する。そして、この撮像した外部映像を外部映像信号としてナビゲーション装置２００へ送信する。
【００２０】
ナビゲーション装置２００は、移動体としての例えば車両に搭載される車載型、携帯型、ＰＤＡ（Personal Digital Assistant）、携帯電話、ＰＨＳ(Personal Handyphone System)、携帯型パーソナルコンピュータなどである。ナビゲーション装置２００は、このナビゲーション装置２００が有する地図情報に基づいて、目的地までのルート探索や最寄りの所定の店舗の検索などを実施する。また、探索したルートや検索した店舗に関する各種情報、現在位置や目的地に関する情報などを出力装置４００で出力させる。さらに、ナビゲーション装置２００は、ＴＳ（Transport Stream）として配信される音声データ、映像データ、データ放送用データなどを有するコンテンツデータを取得して出力装置４００で出力させる。また、コンテンツデータとともに、このコンテンツデータに関連する地図情報を適宜出力させる。さらには、移動体が移動する地点に関する各種情報とともに、この地点に関連するコンテンツデータを適宜出力させる。ここで、コンテンツデータが有する音声データおよび映像データをまとめて表現する際には、これらを番組データとしてのコンテンツメインデータと称して説明する。そして、ナビゲーション装置２００は、センサ部２１０と、ＶＩＣＳ（Vehicle Information Communication System：道路交通情報通信システム）受信部２２０と、ＴＳ受信部２３０と、入力部２４０と、記憶手段２５０と、メモリ２６０と、演算手段としての処理部２７０と、などを備えている。
【００２１】
センサ部２１０は、移動体である例えば車両の移動の状態、すなわち現在位置や走行状況などを検出して処理部２７０にセンサ信号として出力する。このセンサ部２１０は、例えば図示しないＧＰＳ（Global Positioning System）受信部と、図示しない速度センサ、方位角センサおよび加速度センサなどの各種センサなどにて構成されている。
【００２２】
ＧＰＳ受信部は、図示しない人工衛星であるＧＰＳ衛星から出力される航法電波を図示しないＧＰＳアンテナにて受信する。そして、ＧＰＳ受信部は、受信した航法電波に対応した信号に基づいて現在位置の擬似座標値を演算し、ＧＰＳデータとして処理部２７０に出力する。
【００２３】
また、センサ部２１０のセンサである速度センサは、移動体である例えば車両に配設され、車両の走行速度に対応して変動する信号に基づいて、車両の走行速度や実際の加速度を検出する。この速度センサは、例えば車軸や車輪の回転により出力されるパルス信号や電圧値などを読み取る。そして、速度センサは、読み取ったパルス信号や電圧値などの速度検出情報を処理部２７０へ出力する。センサである方位角センサは、車両に配設され、図示しないいわゆるジャイロセンサを有し、車両の方位角すなわち車両が前進する走行方向を検出する。この方位角センサは、検出した走行方向に関する移動方向情報である走行方向情報を処理部２７０へ出力する。センサである加速度センサは、車両に配設され、車両の走行方向における加速度を検出する。この加速度センサは、検出した加速度を、例えばパルスや電圧などによる検出情報であるセンサ出力値に変換し、処理部２７０へ出力する。
【００２４】
ＶＩＣＳ受信部２２０は、図示しないＶＩＣＳアンテナを有し、このＶＩＣＳアンテナにより交通に関する情報を取得する。具体的には、図示しないＶＩＣＳから、例えばビーコンやＦＭ多重放送などにより、渋滞、交通事故、工事、交通規制などの交通情報（以下、ＶＩＣＳデータと称す）を取得する。そして、取得した交通に関する情報を処理部２７０にＶＩＣＳ信号として出力する。
【００２５】
ＴＳ受信部２３０には、例えば地上波デジタル放送や衛星デジタル放送などの放送波を受信する図示しないＴＳアンテナが接続されている。このＴＳ受信部２３０は、処理部２７０の制御により、ＴＳアンテナからデジタル信号として送信される例えば複数のＴＳから、利用者により選択されたコンテンツに対応するＴＳを取得する。そして、取得したＴＳを処理部２７０にＴＳ信号として出力する。
【００２６】
ここで、ＴＳとして配信されるデータ放送用データは、番組連動データおよび番組非連動データのうちのいずれか一方である。番組連動データは、コンテンツの特定の場面に連動する各種情報を、この場面と同期して出力装置４００で出力させるためのデータである。この番組連動データとしては、例えば特定の場面の出演者や、特定の場面で紹介されている店舗や建造物、あるいは、コンテンツ中の特定の企画などに関する情報などを出力させるためのデータが例示できる。そして、番組連動データは、連動ＢＭＬ（Broadcast Markup Language）ファイルなどを備えている。この連動ＢＭＬファイルは、連動テキストデータと、連動付加データと、などを備えている。ここで、連動ＢＭＬファイルは、連動付加データを備えない構成となる場合もある。連動付加データは、コンテンツの特定の場面に連動する文字以外の情報、例えば画像や音声を出力させるためのデータである。連動テキストデータは、内容データと、同期情報と、などを備えている。内容データは、コンテンツの特定の場面の内容を示す文字を出力させるためのデータである。同期情報は、内容データや連動付加データと、コンテンツの特定の場面に対応するコンテンツメインデータと、の出力を同期させるための情報である。具体的には、同期情報は、この連動ＢＭＬファイルが有する各データの出力が開始される日時に関する連動データ出力開始情報と、これら各データが出力されている時間に関する連動データ出力時間情報と、を備えている。ここで、本実施の形態では、上述したように、特定の場面のコンテンツメインデータと、この特定の場面に連動する番組連動データと、が同期して出力されるので、連動データ出力開始情報にて本発明の配信開始日時情報が構成されている。また、連動データ出力開始情報および連動データ出力時間情報に基づいて求められる連動ＢＭＬファイルの各データの出力が終了する日時に関する情報にて本発明の配信終了日時情報が構成されている。
【００２７】
番組非連動データは、コンテンツメインデータにより出力されるコンテンツに連動しない各種情報を出力装置４００に出力させるためのデータである。この番組非連動データとしては、例えば天気予報やニュースを出力させるためのデータが例示できる。この番組非連動データは、非連動ＢＭＬファイルなどを備えている。そして、非連動ＢＭＬファイルは、非連動テキストデータと、非連動付加データと、などを備えている。非連動テキストデータは、コンテンツに連動しない内容を示す文字を出力させるためのデータである。非連動付加データは、非連動テキストデータにて示される内容に関連する例えば画像や音声を出力させるためのデータである。
【００２８】
入力部２４０は、図示しないケース体の例えば正面に臨んで入力操作可能に配設された図示しない各種操作ボタンや操作つまみなどを有している。この操作ボタンや操作つまみの入力操作の内容としては、例えばナビゲーション装置２００の動作内容の設定などの設定事項である。具体的には、取得する情報の内容や取得する条件などの設定、目的地の設定、情報の検索、車両の移動状況である走行状態を表示させる、ＴＳ受信部２３０で受信するＴＳの設定、後述する設定地点や外部映像に基づいて地図情報やコンテンツメインデータを出力させるモードである出力制御モードの設定などが例示できる。そして、入力部２４０は、設定事項の入力操作により、各種情報を操作信号として処理部２７０へ出力して設定させる。なお、入力部２４０としては、操作ボタンや操作つまみなどの入力操作に限らず、例えば出力装置４００の表示部４２０に設けられたタッチパネルによる入力操作や、音声による入力操作など、各種設定事項を設定入力可能ないずれの構成が例示できる。また、図示しないリモートコントローラ（以下、リモコンと称す）より赤外線を介して送信される各種情報を受信して、この各種情報を操作信号として処理部２７０へ出力して設定させる構成などとしてもよい。
【００２９】
記憶手段２５０は、例えば図２および図３に示すような地図情報などを記憶する地図情報記憶領域と、図示しない地点文字列対応座標情報を記憶する対応座標情報記憶領域と、などを備えている。なお、ここでは、記憶手段２５０がこれら２つの記憶領域を備えた構成について例示するが、この構成に限らず、例えばそれぞれを別体のデータベースとして構成したものや、さらに他の記憶領域を備えた構成などとしてもよい。そして、記憶手段２５０としては、ＨＤ（Hard Disk）などの磁気ディスク、ＤＶＤ（Digital Versatile Disc）などの光ディスク、メモリカードなど、各種記録媒体に読み出し可能に記憶するドライブやドライバなどが例示できる。
【００３０】
ここで、地図情報は、例えば図２に示すようないわゆるＰＯＩ（Point Of Interest）データである表示用データＶＭと、例えば図３に示すようなマッチングデータＭＭと、移動経路探索用地図データと、などを備えている。
【００３１】
表示用データＶＭは、例えばそれぞれ固有の番号が付加された複数の表示用メッシュ情報ＶＭxを備えている。すなわち、表示用データＶＭは、一部の領域に関する表示用メッシュ情報ＶＭxに複数分割され、表示用メッシュ情報ＶＭxが縦横に複数連続して構成されている。なお、表示用メッシュ情報ＶＭxは、適宜一部の領域に関する下層の表示用メッシュ情報ＶＭxにさらに複数分割されていてもよい。各表示用メッシュ情報ＶＭxは、設定された一辺の長さ、すなわち実際の地形上の長さを地図の縮尺に応じて短縮した長さで矩形状に分割され、所定の角部分に地図情報の全体、例えば地球の地図における絶対座標ＺＰの情報を有している。
【００３２】
そして、表示用メッシュ情報ＶＭxは、例えば交差点の名称などの名称情報ＶＭxＡと、道路情報ＶＭxＢと、背景情報ＶＭxＣと、にて構成されている。名称情報ＶＭxＡは、その領域における他要素データである例えば交差点の名称や地域の名称などを絶対座標ＺＰとの位置関係で所定の位置に配置表示されるデータのテーブル構造に構成されている。道路情報ＶＭxＢは、その領域における道路要素データである道路を絶対座標ＺＰとの位置関係で所定の位置に配置表示させるデータのテーブル構造に構成されている。背景情報ＶＭxＣは、他要素データである著名な場所や建造物などを示すマークや、その著名な場所や建造物などを示す他要素データである画像情報などを絶対座標ＺＰとの位置関係で所定の位置に配置表示されるデータのテーブル構造に構成されている。
【００３３】
一方、マッチングデータＭＭは、表示用データＶＭと同様に、例えばそれぞれ固有の番号が付加された一部の領域に関するマッチングメッシュ情報ＭＭxに複数分割され、マッチングメッシュ情報ＭＭxが縦横に複数連続して構成されている。なお、マッチングメッシュ情報ＭＭxは、適宜一部の領域に関する下層のマッチングメッシュ情報ＭＭxにさらに複数分割されていてもよい。各マッチングメッシュ情報ＭＭxは、設定された一辺の長さ、すなわち実際の地形上の長さを地図の縮尺に応じて短縮した長さで矩形状に分割され、所定の角部分に地図情報の全体、例えば地球の地図における絶対座標ＺＰの情報を有している。なお、マッチングメッシュ情報ＭＭxは、表示用メッシュ情報ＶＭxと異なる領域を表すデータ構造、すなわち分割される領域の縮尺が異なっていてもよい。ここで、縮尺が同一であれば固有の番号の情報を用いてデータを関連付けておけばよく、また縮尺が異なる場合であれば例えば絶対座標ＺＰを用いてデータを関連付けるなどすればよい。
【００３４】
そして、マッチングデータＭＭは、例えば車両の移動状態を地図情報に重畳させて表示させる際に、車両を表す表示が道路上ではなく建物上に位置するなどの誤表示を防止するため、車両を表す表示が道路上に位置するように表示を修正するマップマッチング処理に利用される。このマッチングデータＭＭは、複数のリンク列ブロック情報を有している。
【００３５】
リンク列ブロック情報は、図３に示すように、道路を構成し地点を表すノードＮを結ぶ線分であるリンクＬが、所定の規則性で複数関連付けられたデータのテーブル構造である。具体的には、道路の所定の長さ例えば甲州街道や青梅街道などの連続する道路のように、リンクＬが折れ線上にそれぞれ連なった連続するリンク列となるもので関連付けられている。そして、リンクＬは、各リンクＬ毎に付加された固有の番号である線分固有情報（以下、リンクＩＤという。）と、リンクＬが結ぶ２つのノードＮを表す固有の番号などのノード情報とを有している。
【００３６】
また、ノードＮは、各道路の交差点や屈曲点、分岐点、合流点などの結節点に相当する。そして、ノードＮに関する情報は、リンク列ブロック情報におけるノードＮ毎に付加された固有の番号である地点固有情報と、各ノードＮが存在する位置の座標情報と、交差点や分岐点などの複数のリンクが交差する分岐位置か否かの分岐情報であるフラグ情報と、を有している。なお、ノードＮには、単に道路の形状を表すためにフラグ情報を有しない地点固有情報および座標情報のみを有したものや、トンネルや道路の幅員などの道路の構成を表す情報である属性情報をさらに有したものもある。
【００３７】
さらに、マッチングデータＭＭのリンク列ブロック情報には、道路の構成に関する情報、例えば車線数、本線か否か、国道や県道、有料道路などの種別やトンネル内などの構成などが関連付けられている。これら道路の構成に関する情報により、表示用データＶＭに対応して道路を地図表示可能となっている。
【００３８】
また、移動経路探索用地図情報は、例えばマッチングデータＭＭと同様のテーブル構造、すなわち道路を表すノードＮのように地点を表す情報とリンクＬのように地点を結ぶ情報とを有したテーブル構造で、移動経路を探索するために道路を表すための情報構造となっている。
【００３９】
地点文字列対応座標情報は、特定の地点や地域に対応する地図情報上の座標に関する情報である。そして、地点文字列対応座標情報は、図示しない、経路地点情報としても機能する地点情報としての地点文字列情報と、対応座標情報と、が１つのデータ構造として構成されたテーブル構造の情報である。
【００４０】
地点文字列情報は、住所や緯度・経度などの特定の地点を示す文字列や、都市や地域を示す文字列、あるいは施設や店舗の名称を示す文字列に関する情報である。対応座標情報は、地点文字列情報により示される地点などの地図情報上の座標を示す情報である。この対応座標情報は、地点文字列情報の文字列が都市名や地域の場合など広範囲の領域を示す場合、例えばその都市や地域の中心部に対応する座標に関する情報となる。
【００４１】
さらに、記憶手段２５０には、例えば地図情報における所定の地点の情報を取得するための検索情報が記憶されている。すなわち、検索情報は、地図情報上で順次細分化される領域となる都道府県名、市町村名、地区名、地点名などの内容やガイダンスなどの各種情報や、施設などに関する施設関連情報などで、例えば階層状に項目情報が関連付けられたツリー構造のテーブル構造となっている。
【００４２】
なお、ここでは、記憶手段２５０に地点文字列対応座標情報を記憶させる対応座標情報記憶領域を設けた構成を例示したが、これに限らず対応座標情報記憶領域を設けずに、例えば検索情報の施設関連情報に対応座標情報を関連付けて記憶させる構成などとしてもよい。
【００４３】
メモリ２６０は、入力部２４０で入力操作される設定事項、処理部２７０で取得したり生成した各種情報、音声データや画像データなどを適宜読み出し可能に記憶する。また、メモリ２６０は、ナビゲーション装置２００全体を動作制御するＯＳ（Operating System）上に展開される各種プログラムなどを記憶している。このメモリ２６０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２６０としては、ＨＤ、ＤＶＤ、光ディスクなどの記録媒体に読み出し可能に記憶するドライブやドライバなどを備えた構成としてもよい。
【００４４】
処理部２７０は、図示しない各種入出力ポート、例えば出力装置４００が接続される出力制御ポート、撮像手段５００が接続される撮像ポート、ＶＩＣＳアンテナが接続されるＶＩＣＳ受信ポート、ＧＰＳ受信部が接続されるＧＰＳ受信ポート、各種センサがそれぞれ接続されるセンサポート、ＴＳアンテナが接続されるＴＳ受信ポート、入力部２４０が接続されるキー入力ポート、記憶手段２５０が接続される記憶ポート、メモリ２６０が接続されるメモリポートなどを有する。そして、処理部２７０は、各種プログラムとして、図４に示すように、ナビゲーション処理手段２８０と、コンテンツ処理手段２９０と、地点座標認識処理手段３００と、地図情報取得手段である関連地図取得手段３１０と、番組データ取得手段、配信日時情報取得手段、および、表示制御手段としても機能する出力制御手段３２０と、などを備えている。
【００４５】
ナビゲーション処理手段２８０は、車両の移動に関する各種情報を適宜生成する処理などをする。そして、ナビゲーション処理手段２８０は、現在位置認識手段２８１と、目的地認識手段２８２と、経路処理手段２８３と、マップマッチング手段２８４と、情報検索手段２８５と、などを備えている。
【００４６】
現在位置認識手段２８１は、車両の現在位置を認識する。具体的には、現在位置認識手段２８１は、センサ部２１０の速度センサおよび方位角センサから出力される車両の速度データおよび方位角データに基づいて、車両の現在の擬似位置を複数算出する。さらに、現在位置認識手段２８１は、ＧＰＳ受信部から出力される現在位置に関するＧＰＳデータに基づいて、車両の現在の擬似座標値を認識する。そして、現在位置認識手段２８１は、算出した現在の擬似位置と、認識した現在の擬似座標値とを比較し、別途取得された地図情報上における車両の現在位置を算出し、現在位置を認識する。
【００４７】
また、現在位置認識手段２８１は、加速度センサから出力される加速度データに基づいて、走行する道路の傾斜や高低差を判断し、車両の現在の擬似位置を算出し、現在位置を認識する。すなわち、立体交差点や高速道路など、平面上で重なる箇所でも、車両の現在位置を正確に認識できる。さらに、山道や坂道を走行する際に、速度データや方位角データのみから得る移動距離と、実際の車両の走行距離との誤差を、検出した道路の傾斜を用いて補正するなどにより正確な現在位置を認識する。なお、現在位置認識手段２８１は、現在位置として上述した車両の現在位置の他、入力部２４０にて設定入力された起点となる出発地点などを、擬似現在位置として認識可能である。そして、現在位置認識手段２８１で得られた現在位置情報は、メモリ２６０に適宜記憶される。
【００４８】
目的地認識手段２８２は、例えば入力部２４０の入力操作により設定入力された目的地に関する目的地情報を取得し、目的地の位置を認識する。設定入力される目的地情報としては、例えば緯度・経度などの座標、住所、電話番号など、場所を特定するための各種情報が利用可能である。そして、目的地認識手段２８２で認識した目的地情報は、メモリ２６０に適宜記憶される。
【００４９】
経路処理手段２８３は、利用者により設定入力される経路設定のための設定事項情報、ＶＩＣＳ受信部２２０にて取得したＶＩＣＳデータ、および、記憶手段２５０に記憶された地図情報などに基づいて、車両の移動経路を演算してルート探索する。
【００５０】
具体的には、経路処理手段２８３は、現在位置情報、目的地情報、ＶＩＣＳデータ、および、設定事項情報を取得する。経路処理手段２８３は、各種情報を取得すると、これら各種情報に基づいて、地図情報の移動経路探索用地図情報を利用し、例えば車両が通行可能な道路を探索する。そして、所要時間が短い経路、あるいは移動距離が短い経路、または交通渋滞や交通規制場所を回避した経路などを設定した移動経路情報を生成する。なお、この移動経路を探索する際、移動経路探索用地図情報の他、地図情報のマッチングデータＭＭを用いる場合もある。例えば、裏道などの幅の狭い道路などの移動経路探索用地図情報ではない道路を利用して移動経路を探索する場合などである。また、移動経路情報は、例えば車両の走行の際に誘導して走行を補助する経路案内情報をも有する。この経路案内情報は、出力制御手段３２０の制御により、出力装置４００で適宜音声出力あるいは適宜表示され、走行が補助される。なお、経路処理手段２８３で生成された移動経路情報は、メモリ２６０に適宜記憶される。
【００５１】
マップマッチング手段２８４は、記憶手段２５０から取得する地図情報に基づいて、現在位置認識手段２８１にて認識した現在位置を適切に表示させるためのマップマッチング処理をする。このマップマッチング手段２８４は、上述したように、例えばマッチングデータＭＭを用い、現在位置を出力装置４００で地図に重畳して表示される位置が、出力装置４００で表示される地図を構成する要素である道路から逸脱しないように、現在位置情報を適宜修正すなわち補正して表示させるマップマッチング処理を実施する。
【００５２】
情報検索手段２８５は、例えば入力部２４０にて設定入力された検索情報の検索要求により、記憶手段２５０に記憶された検索情報を、例えば店舗や施設などの項目情報などに基づいて階層状に検索して取得する。
【００５３】
コンテンツ処理手段２９０は、ＴＳ受信部２３０で受信したＴＳをコンテンツデータに適宜復調する処理などをする。そして、コンテンツ処理手段２９０は、ＴＳ処理手段２９１と、パケット復調手段２９２と、などを備えている。
【００５４】
ＴＳ処理手段２９１は、ＴＳ受信部２３０で取得したＴＳから利用者により選択されたコンテンツデータが組み込まれているＴＳパケットを分離して、パケット復調手段２９２へ適宜出力する。具体的には、ＴＳ処理手段２９１は、ＴＳ受信部２３０からＴＳ信号として出力されるＴＳを取得する。さらに、このＴＳから利用者により選択されたコンテンツに対応する音声データが組み込まれたＴＳパケット（以下、音声パケットと称す）と、映像データが組み込まれたＴＳパケット（以下、映像パケットと称す）と、データ放送用データまたはＥＰＧデータなどが組み込まれたＴＳパケット（以下、データパケットと称す）と、を分離する。そして、ＴＳ処理手段２９１は、これら分離した各パケットをパケット復調手段２９２へ適宜出力する。
【００５５】
パケット復調手段２９２は、ＴＳ処理手段２９１からの各パケットをコンテンツデータに適宜復調する。具体的には、パケット復調手段２９２は、ＴＳ処理手段２９１から音声パケットを取得すると、この音声パケットに組み込まれた音声データを復調する。また、ＴＳ処理手段２９１から映像パケットやデータパケットを取得すると、各パケットに組み込まれた映像データやデータ放送用データあるいはＥＰＧデータを復調する。そして、これら復調した各データを出力制御手段３２０へ適宜出力する。さらに、復調した番組連動データを地点座標認識処理手段３００へ適宜出力する。
【００５６】
地点座標認識処理手段３００は、番組連動データや外部映像に含まれる地点などを示す文字列、あるいは、車両が移動する地点などを示す文字列に対応する座標を適宜認識する。そして、地点座標認識処理手段３００は、内容データ取得手段および検索手段としても機能する連動データ地点座標認識手段３０１と、経路地点情報取得手段としても機能する設定地点座標認識手段３０２と、景観地点情報認識手段としても機能する外部映像地点座標認識手段３０３と、などを備えている。なお、連動データ地点座標認識手段３０１と、設定地点座標認識手段３０２と、外部映像地点座標認識手段３０３と、関連地図取得手段３１０と、出力制御手段３２０と、にて本発明の出力制御装置が構成されている。また、本発明の出力制御装置としては、設定地点座標認識手段３０２および外部映像地点座標認識手段３０３のうちの少なくともいずれか１つを備えない構成などとしてもよい。
【００５７】
連動データ地点座標認識手段３０１は、番組連動データの内容データが地点文字列対応座標情報の地点文字列情報により示される文字列、すなわち特定の地点や都市名あるいは地域を示す文字列を有していることを認識すると、この文字列により示される地点などに対応する地図情報上の座標を認識する。ここで、内容データが有する文字列のうち地点文字列情報で示される文字列を、連動データ地点文字列と適宜称して説明する。また、連動データ地点文字列に対応する地図情報上の座標を、連動データ地点座標と適宜称して説明する。
【００５８】
具体的には、連動データ地点座標認識手段３０１は、コンテンツ処理手段２９０で復調された番組連動データを取得する。さらに、この番組連動データの内容データから、記憶手段２５０に記憶された地点文字列情報の文字列を検索する。そして、内容データから地点文字列情報の文字列を検索できた、すなわち番組連動データが連動データ地点文字列を有していることを認識すると、この検索できた地点文字列情報に対応する対応座標情報の座標を連動データ地点座標として認識する。
【００５９】
設定地点座標認識手段３０２は、ナビゲーション処理手段２８０で生成する車両が移動する地点や地域などに関する情報に基づいて、その地点や地域などに対応する地図情報上の座標を認識する。ここで、ナビゲーション処理手段２８０で生成された車両の移動に関する各種情報に基づいて特定される地点を、設定地点と適宜称して説明する。また、設定地点に対応する地図情報上の座標を、設定地点座標と適宜称して説明する。
【００６０】
具体的には、設定地点座標認識手段３０２は、設定地点に関する設定地点情報を適宜取得する。ここで、設定地点としては、例えば車両の現在位置や目的地、これらの地点から半径１キロメートル圏内の地点、ナビゲーション処理手段２８０で設定された移動経路の周辺のうち現在位置から進行方向側の地点、進行方向仰角３０度半径１キロメートル圏内の地点、現在位置から３０分到達圏内の地点などのうちの少なくともいずれか１つの地点が例示できるがこれに限られない。そして、設定地点座標認識手段３０２は、この設定地点情報に基づいて、設定地点を特定するために利用する情報をナビゲーション処理手段２８０から取得する。例えば、設定地点座標認識手段３０２は、設定地点が現在位置に基づき特定される地点の場合、現在位置認識手段２８１から現在位置情報を取得する。また、目的地に基づき特定される地点の場合、目的地認識手段２８２から目的地情報を取得する。さらに、設定された移動経路に基づき特定される地点の場合、経路処理手段２８３から移動経路情報を取得する。そして、設定地点座標認識手段３０２は、この取得した情報に基づいて設定地点を特定する。さらに、地図情報などに基づいて、この特定した設定地点の設定地点座標を認識する。
【００６１】
外部映像地点座標認識手段３０３は、撮像手段５００で撮像した外部映像に地点文字列対応座標情報の地点文字列情報により示される文字列が存在することを認識すると、この文字列により示される地点などに対応する地図情報上の座標を認識する。ここで、以下において、外部映像に存在する文字列のうち地点文字列情報で示される文字列を、景観地点情報としての外部映像地点文字列と適宜称して説明する。また、外部映像地点文字列に対応する地図情報上の座標を、外部映像地点座標と適宜称して説明する。
【００６２】
具体的には、外部映像地点座標認識手段３０３は、撮像手段５００の動作を適宜制御して、外部映像を撮像させる。そして、この外部映像を取得し、この外部映像に存在する文字列から、記憶手段２５０に記憶された地点文字列情報の文字列を検索する。そして、外部映像の文字列から地点文字列情報の文字列を検索できた、すなわち外部映像に外部映像地点文字列が存在することを認識すると、この検索できた地点文字列情報に対応する対応座標情報の座標を外部映像地点座標として認識する。
【００６３】
関連地図取得手段３１０は、記憶手段２５０の地図情報記憶領域から連動データ地点座標に対応する地図情報を適宜取得する。ここで、連動データ地点座標に対応する地図情報を、コンテンツ関連地図情報と適宜称して説明する。具体的には、関連地図取得手段３１０は、連動データ地点座標に対応する絶対座標ＺＰの情報を有する地図情報を地図情報記憶領域から検索する。そして、この検索した地図情報をコンテンツ関連地図情報として取得する。
【００６４】
出力制御手段３２０は、出力装置４００における各種情報の出力を適宜制御する。具体的には、出力制御手段３２０は、入力部２４０における入力操作に基づく操作信号により、車両の移動に関する地図情報を出力装置４００で出力させるモードであるナビゲーションモードに設定されたことを認識すると、ナビゲーション処理手段２８０から各種情報を取得する。そして、この各種情報を出力装置４００で出力させる。例えば、出力制御手段３２０は、メモリ２６０に記憶され、車両の走行状況に対応してあらかじめ取得した移動経路情報などに基づいて車両の移動に関する案内、例えば車両の走行を支援する内容の案内を、出力装置４００の音声出力部４１０による発音や表示部４２０による画像表示にて出力する。具体的には、「７００ｍ先、○○交差点を△△方面右方向です。」、「移動経路から逸脱しました。」、「この先、渋滞です。」などの音声出力部４１０における音声により発音したり、所定の矢印や記号などを例えば図５に示すように表示部４２０の表示領域４２１に表示したり、することなどが例示できる。
【００６５】
また、出力制御手段３２０は、入力部２４０における入力操作に基づく操作信号により、コンテンツデータを出力装置４００で出力させるモードであるコンテンツモードに設定されたことを認識すると、コンテンツ処理手段２９０からコンテンツデータを取得する。そして、このコンテンツデータを出力装置４００の音声出力部４１０における音声により発音したり、例えば図６に示すように表示部４２０の表示領域４２１に表示したりする。
【００６６】
さらに、出力制御手段３２０は、車両の移動に関する地図情報とともに、この移動する地点に関連するコンテンツメインデータを出力装置４００で適宜出力させる。具体的には、出力制御手段３２０は、ナビゲーションモードに設定された状態において、例えば設定地点に基づく出力制御モードに設定されたことを認識すると、以下のような処理をする。すなわち、連動データ地点座標認識手段３０１で認識した連動データ地点座標と、設定地点座標認識手段３０２で認識した設定地点座標と、が対応している、例えばこれらの座標間の距離が所定距離よりも短いか否かを判断する。ここで、外部映像に基づく出力制御モードに設定されていることを認識した場合、連動データ地点座標と、外部映像地点座標認識手段３０３で認識した外部映像地点座標と、が対応しているか否かを判断する。そして、これの座標が対応していると判断した場合、連動データ地点座標認識手段３０１で連動データ地点座標を認識する際に用いられた番組連動データの同期情報を取得する。さらに、この番組連動データを有するコンテンツデータを、コンテンツ処理手段２９０から取得する。そして、車両の移動に関する地図情報の出力を継続した状態で、このコンテンツデータのコンテンツメインデータを連動データ出力開始情報の日時から連動データ出力時間情報の時間だけ出力装置４００で出力させる。具体的には、音声出力部４１０に音声データを音声により発音させる。また、例えば図５に示すように、表示領域４２１における右下部分に想像線で示すような略矩形状のサブ表示領域４２２を設ける。なお、ここでは、表示領域４２１における右下部分にサブ表示領域４２２を設ける構成について例示するが、これに限らず例えば表示領域４２１を２分割していずれか一方にサブ表示領域４２２を設ける構成など適宜他の構成などとしてもよい。そして、表示領域４２１で車両の移動に関する地図情報の表示を継続するとともに、サブ表示領域４２２で映像データを表示させる。ここで、表示領域４２１に映像データを表示させ、サブ表示領域４２２に移動に関する地図情報を表示させる構成としてもよい。
【００６７】
また、出力制御手段３２０は、コンテンツデータとともに、コンテンツ関連地図情報を出力装置４００で適宜出力させる。具体的には、出力制御手段３２０は、コンテンツモードに設定された状態において、例えば設定地点に基づく出力制御モードに設定されたことを認識すると、連動データ地点座標と、設定地点座標と、が対応しているか否かを判断する。ここで、外部映像に基づく出力制御モードに設定されていることを認識した場合、連動データ地点座標と、外部映像地点座標と、が対応しているか否かを判断する。そして、これらの座標が対応していることを認識すると、連動データ地点座標を認識する際に用いられた番組連動データの同期情報を取得する。さらに、関連地図取得手段３１０から、この連動データ地点座標に対応するコンテンツ関連地図情報を取得する。そして、出力制御手段３２０は、コンテンツデータの出力を継続した状態で、コンテンツ関連地図情報を連動データ出力開始情報の日時から連動データ出力時間情報の時間だけ出力装置４００で出力させる。具体的には、例えば図６に示すように、表示領域４２１でコンテンツデータの表示を継続するとともに、サブ表示領域４２２でコンテンツ関連地図情報を表示させる。ここで、表示領域４２１にコンテンツ関連地図情報を表示させ、サブ表示領域４２２にコンテンツデータを表示させる構成としてもよい。
【００６８】
なお、車両の移動に関する地図情報やコンテンツデータあるいはコンテンツ関連地図情報を表示させる形態については、図５や図６に示すような形態に限らず適宜他の形態としてもよい。
【００６９】
〔ナビゲーションシステムの動作〕
次に、ナビゲーションシステム１００の動作を図面を参照して説明する。
【００７０】
（設定地点に基づく出力制御モード時の処理）
まず、ナビゲーションシステム１００の動作として、設定地点に基づく出力制御モード時の処理について図７に基づいて説明する。図７は、設定地点に基づく出力制御モード時の処理を示すフローチャートである。
【００７１】
まず、利用者は、ナビゲーション装置２００にナビゲーションモードまたはコンテンツモードに基づく処理を実施させている状態において、入力部２４０の入力操作により、設定地点に基づく出力制御モードに設定する旨を設定入力する。ナビゲーション装置２００は、図７に示すように、処理部２７０の出力制御手段３２０にて、設定地点に基づく出力制御モードに設定された旨の設定入力を認識すると（ステップＳ１０１）、設定地点情報の設定入力を促す旨を出力装置４００で出力させる。この後、利用者は、入力部２４０の入力操作により、設定地点情報を適宜設定入力する。ナビゲーション装置２００の処理部２７０は、設定地点座標認識手段３０２にて、この設定入力された設定地点情報を取得する（ステップＳ１０２）。さらに、処理部２７０は、連動データ地点座標認識手段３０１にて、コンテンツ処理手段２９０から利用者により選択されているコンテンツデータの番組連動データを取得する（ステップＳ１０３）。ここで、連動データ地点座標認識手段３０１は、ナビゲーションモードに設定されている場合、利用者により予め選択されているコンテンツデータの番組連動データを取得し、コンテンツモードに設定されている場合、出力制御手段３２０により出力装置４００で出力させているコンテンツデータの番組連動データを取得する。そして、連動データ地点座標認識手段３０１は、この番組連動データの内容データが連動データ地点文字列を有しているか否かを判断する（ステップＳ１０４）。
【００７２】
このステップＳ１０４において、処理部２７０は、連動データ地点座標認識手段３０１で連動データ地点文字列を有していないと判断した場合、出力制御手段３２０にて、設定地点に基づく出力制御モードを終了する旨の設定入力を認識したか否かを判断する（ステップＳ１０５）。そして、ステップＳ１０５において、設定地点に基づく出力制御モードを終了する旨の設定入力を認識していると判断すると、処理を終了する。一方、ステップＳ１０５において、出力制御手段３２０は、設定地点に基づく出力制御モードを終了する旨の設定入力を認識していないと判断した場合、ステップＳ１０３に戻る。
【００７３】
また、ステップＳ１０４において、連動データ地点座標認識手段３０１は、連動データ地点文字列を有していると判断した場合、記憶手段２５０に記憶された地点文字列対応座標情報に基づいて、この連動データ地点文字列に対応する連動データ地点座標を認識する（ステップＳ１０６）。この後、処理部２７０は、設定地点座標認識手段３０２にて、ステップＳ１０２で取得した設定地点情報に基づいて、設定地点を認識する（ステップＳ１０７）。そして、設定地点座標認識手段３０２は、地図情報などに基づいて、この設定地点に対応する設定地点座標を認識する（ステップＳ１０８）。この後、処理部２７０は、出力制御手段３２０にて、連動データ地点座標および設定地点座標が対応しているか否かを判断する（ステップＳ１０９）。
【００７４】
このステップＳ１０９において、連動データ地点座標および設定地点座標が対応していないと判断した場合、ステップＳ１０５の処理を実施する。一方、ステップＳ１０９において、出力制御手段３２０は、連動データ地点座標および設定地点座標が対応していると判断した場合、連動データ地点座標の認識時に用いられた番組連動データの同期情報を取得する（ステップＳ１１０）。そして、出力制御手段３２０は、ナビゲーションモードに設定されているか否かを判断する（ステップＳ１１１）。このステップＳ１１１において、ナビゲーションモードに設定されていると判断した場合、この番組連動データを有するコンテンツデータをコンテンツ処理手段２９０から取得する（ステップＳ１１２）。そして、出力制御手段３２０は、例えば図５に示すように、車両の移動に関する地図情報の出力を継続した状態で、このコンテンツデータのコンテンツメインデータを、同期情報の連動データ出力開始情報の日時から連動データ出力時間情報の時間だけ出力装置４００で出力させ（ステップＳ１１３）、ステップＳ１０５の処理を実施する。
【００７５】
一方、ステップＳ１１１において、処理部２７０は、出力制御手段３２０でナビゲーションモードではなくコンテンツモードに設定されていると判断した場合、関連地図取得手段３１０にて、連動データ地点座標に対応するコンテンツ関連地図情報を取得する（ステップＳ１１４）。そして、出力制御手段３２０は、例えば図６に示すように、コンテンツデータの出力を継続した状態で、このコンテンツ関連地図情報を連動データ出力開始情報の日時から連動データ出力時間情報の時間だけ出力装置４００で出力させ（ステップＳ１１５）、ステップＳ１０５の処理を実施する。
【００７６】
（外部映像に基づく出力制御モード時の処理）
次に、ナビゲーションシステム１００の動作として、外部映像に基づく出力制御モード時の処理について図８に基づいて説明する。なお、設定地点に基づく出力制御モード時の処理と同様の処理については説明を簡略化する。図８は、外部映像に基づく出力制御モード時の処理を示すフローチャートである。
【００７７】
まず、利用者は、ナビゲーション装置２００にナビゲーションモードまたはコンテンツモードに基づく処理を実施させている状態において、入力部２４０の入力操作により、外部映像に基づく出力制御モードに設定する旨を設定入力する。ナビゲーション装置２００は、図８に示すように、処理部２７０の出力制御手段３２０で外部映像に基づく出力制御モードに設定された旨の設定入力を認識すると（ステップＳ２０１）、連動データ地点座標認識手段３０１にて、利用者により選択されているコンテンツデータの番組連動データを取得する（ステップＳ２０２）。ここで、連動データ地点座標認識手段３０１は、ナビゲーションモードに設定されている場合、利用者により予め選択されているコンテンツデータの番組連動データを取得し、コンテンツモードに設定されている場合、出力制御手段３２０により出力装置４００で出力させているコンテンツデータの番組連動データを取得する。そして、連動データ地点座標認識手段３０１は、この番組連動データの内容データが連動データ地点文字列を有しているか否かを判断する（ステップＳ２０３）。
【００７８】
このステップＳ２０３において、処理部２７０は、連動データ地点座標認識手段３０１で連動データ地点文字列を有していないと判断した場合、出力制御手段３２０にて、外部映像に基づく出力制御モードを終了する旨の設定入力を認識したか否かを判断する（ステップＳ２０４）。そして、ステップＳ２０４において、外部映像に基づく出力制御モードを終了する旨の設定入力を認識していると判断すると、処理を終了する。一方、ステップＳ２０４において、出力制御手段３２０は、外部映像に基づく出力制御モードを終了する旨の設定入力を認識していないと判断した場合、ステップＳ２０２に戻る。
【００７９】
また、ステップＳ２０３において、連動データ地点座標認識手段３０１は、連動データ地点文字列を有していると判断した場合、この連動データ地点文字列に対応する連動データ地点座標を認識する（ステップＳ２０５）。この後、処理部２７０は、外部映像地点座標認識手段３０３にて撮像手段５００の動作を適宜制御して、外部映像を撮像させる。そして、外部映像地点座標認識手段３０３は、撮像手段５００で撮像された外部映像を取得し（ステップＳ２０６）、この外部映像に外部映像地点文字列が存在するか否かを判断する（ステップＳ２０７）。
【００８０】
このステップＳ２０７において、外部映像地点文字列が存在していないと判断した場合、ステップＳ２０４の処理を実施する。一方、ステップＳ２０７において、外部映像地点座標認識手段３０３は、外部映像地点文字列が存在していると判断した場合、記憶手段２５０に記憶された地点文字列対応座標情報に基づいて、この外部映像地点文字列に対応する外部映像地点座標を認識する（ステップＳ２０８）。この後、処理部２７０は、出力制御手段３２０にて、連動データ地点座標および外部映像地点座標が対応しているか否かを判断する（ステップＳ２０９）。
【００８１】
このステップＳ２０９において、連動データ地点座標および外部映像地点座標が対応していないと判断した場合、ステップＳ２０４の処理を実施する。一方、ステップＳ２０９において、出力制御手段３２０は、連動データ地点座標および外部映像地点座標が対応していると判断した場合、連動データ地点座標の認識時に用いられた番組連動データの同期情報を取得する（ステップＳ２１０）。そして、出力制御手段３２０は、ナビゲーションモードに設定されているか否かを判断する（ステップＳ２１１）。このステップＳ２１１において、ナビゲーションモードに設定されていると判断した場合、この番組連動データを有するコンテンツデータを取得して（ステップＳ２１２）、例えば図５に示すように、このコンテンツデータのコンテンツメインデータを、同期情報の連動データ出力開始情報の日時から連動データ出力時間情報の時間だけ出力装置４００で出力させ（ステップＳ２１３）、ステップＳ２０４の処理を実施する。
【００８２】
一方、ステップＳ２１１において、処理部２７０は、出力制御手段３２０でコンテンツモードに設定されていると判断した場合、関連地図取得手段３１０にて、連動データ地点座標に対応するコンテンツ関連地図情報を取得する（ステップＳ２１４）。そして、出力制御手段３２０は、例えば図６に示すように、このコンテンツ関連地図情報を連動データ出力開始情報の日時から連動データ出力時間情報の時間だけ出力装置４００で出力させ（ステップＳ２１５）、ステップＳ２０４の処理を実施する。
【００８３】
〔第１の実施の形態の作用効果〕
上述したように、上記実施の形態では、ナビゲーション装置２００の処理部２７０は、出力制御手段３２０にて、コンテンツモードに設定された旨の設定入力を認識すると、コンテンツ処理手段２９０からのコンテンツデータを取得して、出力装置４００の表示部４２０で表示させる。この後、処理部２７０は、出力制御手段３２０で例えば設定地点に基づく出力制御モードに設定された旨の設定入力を認識すると、連動データ地点座標認識手段３０１にて、出力装置４００で出力させているコンテンツデータの番組連動データを取得する。そして、処理部２７０は、連動データ地点座標認識手段３０１で番組連動データの内容データが地点文字列情報の文字列を有していることを認識すると、関連地図取得手段３１０にて、この文字列で示される地点に対応する地図情報をコンテンツ関連地図情報として取得する。この後、出力制御手段３２０は、コンテンツ関連地図情報を出力装置４００の表示部４２０で表示させる。
【００８４】
このため、ナビゲーション装置２００は、任意の番組を出力させている状態において、特定の地点に関する場面に対応する番組連動データを取得すると、この特定の地点に対応するコンテンツ関連地図情報を出力装置４００の表示部４２０で表示させることができる。したがって、ナビゲーション装置２００は、表示部４２０で表示された例えば番組の特定の場面に関連する地点を、コンテンツ関連地図情報により利用者に認識させることができる。よって、ナビゲーション装置２００は、各種情報を適切に出力できる。
【００８５】
出力制御手段３２０は、コンテンツデータを表示している表示領域４２１の右下部分のサブ表示領域４２２にコンテンツ関連地図情報を表示させる。このため、利用者は、コンテンツデータの視聴が中断されることなく、コンテンツ関連地図情報を視認できる。したがって、ナビゲーション装置２００は、各種情報をより適切に出力できる。
【００８６】
地図情報は、絶対座標ＺＰの情報を有している。そして、関連地図取得手段３１０は、地点文字列情報の文字列で示される地点の座標に対応する情報を有する地図情報をコンテンツ関連地図情報として取得する。このため、関連地図取得手段３１０は、文字列に関する情報と比べて情報量が少ない絶対座標ＺＰの情報に基づいて、コンテンツ関連地図情報を特定できる。したがって、関連地図取得手段３１０は、コンテンツ関連地図情報を容易に特定できる。
【００８７】
記憶手段２５０の地図情報記憶領域に、絶対座標ＺＰの情報を有する地図情報を記憶させている。また、記憶手段２５０の対応座標情報記憶領域に、特定の地点などを示す文字列に関する地点文字列情報と、この地点文字列情報により示される地点などの地図情報上の座標に関する対応座標情報と、が１つのデータ構造として構成された地点文字列対応座標情報を記憶させている。そして、連動データ地点座標認識手段３０１は、内容データから地点文字列情報の文字列を検索し、この検索した文字列の地点文字列情報に対応する対応座標情報の座標を連動データ地点座標として認識する。この後、関連地図取得手段３１０は、連動データ地点座標に対応する絶対座標ＺＰの情報を有する地図情報をコンテンツ関連地図情報として取得する。このため、地図情報と比べて情報量が少ない地点文字列対応座標情報を利用してコンテンツ関連地図情報を特定しているので、地点文字列対応座標情報の更新を地図情報と比べて容易にできる。したがって、ナビゲーション装置２００を最新の状況に対応した状態に容易に更新できる。
【００８８】
出力制御手段３２０は、コンテンツ関連地図情報を同期情報の連動データ出力開始情報の日時から連動データ出力時間情報の時間だけ出力させる。このため、ナビゲーション装置２００は、例えば特定の地域に関する場面の出力開始とともにコンテンツ関連地図情報の出力を開始させ、この場面の出力終了とともにコンテンツ関連地図情報の出力を終了させることができる。したがって、ナビゲーション装置２００は、各種情報をさらに適切に出力できる。
【００８９】
処理部２７０は、出力制御手段３２０で例えば設定地点に基づく出力制御モードに設定された旨の設定入力を認識すると、設定地点座標認識手段３０２にて、利用者により設定入力された設定地点情報を取得する。そして、設定地点座標認識手段３０２は、設定地点情報に基づいて、車両の移動に関する各種情報に基づいて特定される地点である設定地点を認識する。この後、設定地点座標認識手段３０２は、この設定地点が例えば現在位置から半径１キロメートル圏内の地点であることを認識すると、現在位置認識手段２８１から現在位置情報を取得して、設定地点に対応する地点を特定する。そして、出力制御手段３２０は、出力装置４００の表示部４２０で表示させているコンテンツデータに対応する内容データが、設定地点に対応する地点を示す文字列を有していることを認識すると、コンテンツ関連地図情報を表示させる。このため、ナビゲーション装置２００は、任意の番組を表示させている状態において、例えば車両の現在位置から半径１キロメートル圏内の地点に関する場面に対応する番組連動データを取得すると、この地点に対応するコンテンツ関連地図情報を表示させることができる。したがって、ナビゲーション装置２００は、車両の移動に対応した設定地点のコンテンツ関連地図情報を表示させることができ、各種情報をさらに適切に出力できる。
【００９０】
外部映像地点座標認識手段３０３は、撮像手段５００で撮像された外部映像を取得して、この外部映像に存在する文字列を認識する。そして、出力制御手段３２０は、コンテンツモードにおいて、出力装置４００で出力させているコンテンツデータの内容データが外部映像の文字列に対応する文字列を有していることを認識すると、この内容データの文字列で示される地点に対応するコンテンツ関連地図情報を表示させる。このため、ナビゲーション装置２００は、任意の番組を出力させている状態において、外部映像に存在する例えば方面看板に示された地点に関する場面に対応した番組連動データを取得すると、この地点に対応するコンテンツ関連地図情報を表示させることができる。したがって、ナビゲーション装置２００は、外部に存在する方面看板などの文字列により示される地点のコンテンツ関連地図情報を表示させることができ、各種情報をさらに適切に出力できる。
【００９１】
ナビゲーション装置２００の処理部２７０は、出力制御手段３２０にて、ナビゲーションモードに設定された旨の設定入力を認識すると、ナビゲーション処理手段２８０からの車両の移動に関する地図情報を取得して、出力装置４００の表示部４２０で表示させる。この後、処理部２７０は、出力制御手段３２０で例えば設定地点に基づく出力制御モードに設定された旨の設定入力を認識すると、設定地点座標認識手段３０２にて、設定地点情報を取得する。そして、設定地点座標認識手段３０２は、設定地点情報に基づいて設定地点を認識すると、ナビゲーション処理手段２８０から移動に関する各種情報を適宜取得して、設定地点に対応する地点を特定する。また、処理部２７０は、連動データ地点座標認識手段３０１にて、利用者により予め選択されているコンテンツデータの番組連動データを取得する。そして、処理部２７０は、連動データ地点座標認識手段３０１で番組連動データの内容データが設定地点に対応する地点を示す文字列を有していることを認識すると、出力制御手段３２０にて、この番組連動データに対応する、すなわち設定地点に対応するコンテンツメインデータを取得する。この後、出力制御手段３２０は、コンテンツメインデータを出力装置４００の表示部４２０で表示させる。
【００９２】
このため、ナビゲーション装置２００は、車両の移動に関する地図情報を出力装置４００の表示部４２０で表示させている状態において、例えば車両の現在位置から半径１キロメートル圏内の地点に関する場面に対応する番組連動データを取得すると、この地点に関する場面を表示部４２０で表示させることができる。したがって、ナビゲーション装置２００は、表示部４２０で表示された地図情報の地点に特有な情報を、コンテンツメインデータにより利用者に視認させることができる。よって、ナビゲーション装置２００は、各種情報を適切に出力できる。
【００９３】
出力制御手段３２０は、車両の移動に関する地図情報を表示している表示領域４２１の右下部分のサブ表示領域４２２に設定地点に対応するコンテンツメインデータを表示させる。このため、利用者は、車両の移動に関する地図情報の表示が中断されることなく、設定地点に対応するコンテンツメインデータを視認できる。したがって、ナビゲーション装置２００は、各種情報をより適切に出力できる。
【００９４】
出力制御手段３２０は、設定地点に対応するコンテンツメインデータを同期情報の連動データ出力開始情報の日時から連動データ出力時間情報の時間だけ出力させる。このため、ナビゲーション装置２００は、車両が移動する設定地点に関する場面の最初から最後までを確実に出力させることができる。したがって、ナビゲーション装置２００は、各種情報をさらに適切に出力できる。
【００９５】
出力制御手段３２０は、ナビゲーションモードにおいて、利用者により選択されたコンテンツデータの内容データが撮像手段５００で撮像された外部映像の文字列に対応する文字列を有していることを認識すると、この内容データに対応するコンテンツメインデータを表示させる。このため、ナビゲーション装置２００は、車両の移動に関する地図情報を表示させている状態において、外部映像に存在する例えば方面看板に示された地点に関する場面に対応した番組連動データを取得すると、この場面を表示させることができる。したがって、ナビゲーション装置２００は、外部に存在する方面看板などの文字列により示される地点に関する番組の場面を表示させることができ、各種情報をさらに適切に出力できる。
【００９６】
［第２の実施の形態］
以下に、本発明の第２の実施の形態を図面に基づいて説明する。この第２の実施の形態では、本発明の出力制御装置を有するコンテンツ処理装置を備えたコンテンツ処理システムであって、放送波を利用して送信されるテレビ番組などのコンテンツを出力させる構成を例示して説明する。また、コンテンツの特定の場面に対応する音声データや映像データと、この特定の場面に連動する後述する番組連動データと、が同期して出力される構成を例示して説明する。なお、第１の実施の形態と同様の構成については、説明を省略または簡略化する。図９は、コンテンツ処理システムの概略構成を示すブロック図である。図１０は、コンテンツ処理装置を構成する処理部の概略構成を示すブロック図である。
【００９７】
〔コンテンツ処理システムの構成〕
図９において、６００はコンテンツ処理システムである。このコンテンツ処理システム６００は、例えばテレビ番組などのコンテンツを取得して出力させるシステムである。そして、コンテンツ処理システム６００は、コンテンツ処理装置７００と、出力手段としての出力装置８００と、図示しない地図情報記憶装置と、などを備えている。
【００９８】
出力装置８００は、第１の実施の形態の出力装置４００と同様の構成を有している。この出力装置８００は、コンテンツ処理装置７００から入力される地図情報やコンテンツデータなどを受信して出力する。そして、この出力装置８００は、音声出力部８１０と、表示手段である表示部８２０と、などを備えている。音声出力部８１０は、コンテンツ処理装置７００から音声信号として送信される音声データを発音手段から音声として出力させる。表示部８２０は、コンテンツ処理装置７００から画像信号として送信される画像データを表示させる。
【００９９】
地図情報記憶装置は、図示しないネットワークを介してコンテンツ処理装置７００に接続されている。この地図情報記憶装置は、図２に示すような表示用データＶＭなどを有する地図情報を適宜読み出し可能に記憶する。そして、地図情報記憶装置としては、ＨＤなどの磁気ディスク、ＤＶＤなどの光ディスク、メモリカードなど、各種記録媒体に読み出し可能に記憶するドライブやドライバなどが例示できる。
【０１００】
コンテンツ処理装置７００は、ＴＳとして配信される音声データ、映像データ、データ放送用データなどを有するコンテンツデータを取得して出力装置８００で出力させる。また、コンテンツデータとともに、このコンテンツデータに関連するコンテンツ関連地図情報を適宜出力させる。そして、コンテンツ処理装置７００は、通信部７１０と、入力部７２０と、記憶手段７３０と、メモリ７４０と、演算手段としての処理部７５０と、などを備えている。
【０１０１】
通信部７１０には、外部から入力されるＴＳや地図情報を適宜取得する。そして、通信部７１０は、図示しない、ＴＳ受信部と、インターフェース部と、などを備えている。ＴＳ受信部には、図示しないＴＳアンテナが接続されている。このＴＳ受信部は、処理部７５０の制御により、ＴＳアンテナからデジタル信号として送信される利用者により選択されたＴＳを取得して、処理部７５０にＴＳ信号として出力する。インターフェース部は、高速データ処理が可能な例えばＩＥＥＥ（Institute of Electrical and Electronic Engineers）１３９４規格のインターフェースなどである。このインターフェース部は、ネットワークを介して地図情報記憶装置に接続されている。そして、インターフェース部は、地図情報記憶装置から地図情報を適宜取得して、処理部７５０に地図情報信号として出力する。
【０１０２】
入力部７２０は、図示しないケース体の例えば正面に臨んで入力操作可能に配設された図示しない各種操作ボタンや操作つまみなどを有している。この操作ボタンや操作つまみの入力操作の内容としては、例えばコンテンツ処理装置７００の動作内容の設定などの設定事項である。具体的には、通信部７１０で受信するＴＳの設定、コンテンツ関連地図情報を出力させるモードであるコンテンツ関連地図出力モードの設定などが例示できる。そして、入力部７２０は、設定事項の入力操作により、各種情報を操作信号として処理部７５０へ出力して設定させる。なお、入力部７２０としては、例えば出力装置８００に設けられたタッチパネルによる入力操作や、音声による入力操作など、各種設定事項を設定入力可能ないずれの構成が例示できる。また、図示しないリモコンより赤外線を介して送信される各種情報を、操作信号として処理部７５０へ出力して設定させる構成などとしてもよい。
【０１０３】
記憶手段７３０は、図示しない地点文字列対応座標情報を適宜読み出し可能に記憶する。この地点文字列対応座標情報は、第１の実施の形態の記憶手段２５０に記憶された地点文字列対応座標情報と同様の情報である。そして、記憶手段７３０としては、ＨＤなどの磁気ディスク、ＤＶＤなどの光ディスク、メモリカードなど、各種記録媒体に読み出し可能に記憶するドライブやドライバなどが例示できる。
【０１０４】
メモリ７４０は、入力部７２０で入力操作される設定事項、処理部７５０で取得したり生成した各種情報などを適宜読み出し可能に記憶する。また、コンテンツ処理装置７００全体を動作制御するＯＳ上に展開される各種プログラムなどを記憶している。このメモリ７４０としては、例えば停電などにより突然電源が落ちた際にも記憶が保持される構成のメモリ、例えばＣＭＯＳメモリなどを用いることが望ましい。なお、メモリ７４０としては、ＨＤ、ＤＶＤ、光ディスクなどの記録媒体に読み出し可能に記憶するドライブやドライバなどを備えた構成としてもよい。
【０１０５】
処理部７５０は、図示しない各種入出力ポート、例えば出力装置８００が接続される出力制御ポート、ＴＳアンテナが接続されるＴＳ受信ポート、インターフェース部が接続されるインターフェースポート、入力部７２０が接続されるキー入力ポート、記憶手段７３０が接続される記憶ポート、メモリ７４０が接続されるメモリポートなどを有する。そして、処理部７５０は、各種プログラムとして、図１０に示すように、ＴＳ処理手段７５１と、パケット復調手段７５２と、内容データ取得手段および検索手段としても機能する連動データ地点座標認識手段７５３と、地図情報取得手段である関連地図取得手段７５４と、番組データ取得手段、配信日時情報取得手段、および、表示制御手段としても機能する出力制御手段７５５と、などを備えている。なお、連動データ地点座標認識手段７５３と、関連地図取得手段７５４と、出力制御手段７５５と、にて本発明の出力制御装置が構成されている。
【０１０６】
ＴＳ処理手段７５１は、ＴＳ受信部で取得したＴＳから利用者により選択されたコンテンツデータが組み込まれているＴＳパケットを分離する。そして、この分離したＴＳパケットをパケット復調手段７５２へ適宜出力する。
【０１０７】
パケット復調手段７５２は、ＴＳ処理手段７５１からＴＳパケットを適宜取得する。そして、このＴＳパケットに組み込まれたコンテンツデータを復調して、出力制御手段７５５へ適宜出力する。また、復調した番組連動データを連動データ地点座標認識手段７５３へ適宜出力する。
【０１０８】
連動データ地点座標認識手段７５３は、パケット復調手段７５２から番組連動データを取得する。そして、この番組連動データの内容データから記憶手段７３０に記憶された地点文字列情報の文字列を検索して、この検索した地点文字列情報に対応する対応座標情報の座標を連動データ地点座標として認識する。
【０１０９】
関連地図取得手段７５４は、連動データ地点座標認識手段７５３で認識した連動データ地点座標を有する地図情報を、ネットワークを介して地図情報記憶装置から検索する。そして、この検索した地図情報を、ネットワークを介してコンテンツ関連地図情報として取得する。
【０１１０】
出力制御手段７５５は、コンテンツデータとともに、コンテンツ関連地図情報を出力装置８００で適宜出力させる。具体的には、出力制御手段７５５は、コンテンツデータが出力装置８００から出力されている状態において、コンテンツ関連地図出力モードに設定されたことを認識すると、連動データ地点座標認識手段７５３における連動データ地点座標の認識時に用いられた番組連動データから連動データ出力時間情報を取得する。また、連動データ地点座標に対応するコンテンツ関連地図情報を、関連地図取得手段７５４から取得する。そして、出力制御手段７５５は、コンテンツデータの出力を継続した状態で、コンテンツ関連地図情報を連動データ出力時間情報の時間だけ出力装置８００で出力させる。具体的には、例えば図６に示すように、表示領域８２１でコンテンツデータの表示を継続するとともに、サブ表示領域８２２でコンテンツ関連地図情報を表示させる。
【０１１１】
〔コンテンツ処理システムの動作〕
次に、コンテンツ処理システム６００の動作として、コンテンツ関連地図出力モード時の処理について図１１に基づいて説明する。図１１は、コンテンツ関連地図出力モード時の処理を示すフローチャートである。
【０１１２】
まず、利用者は、コンテンツ処理装置７００に所望のコンテンツに対応するコンテンツデータを出力させている状態において、入力部７２０の入力操作により、コンテンツ関連地図出力モードに設定する旨を設定入力する。コンテンツ処理装置７００は、図１１に示すように、処理部７５０の出力制御手段７５５でコンテンツ関連地図出力モードに設定された旨の設定入力を認識すると（ステップＳ３０１）、連動データ地点座標認識手段７５３にて、パケット復調手段７５２からコンテンツデータの番組連動データを取得する（ステップＳ３０２）。そして、連動データ地点座標認識手段７５３は、この番組連動データの内容データが連動データ地点文字列を有しているか否かを判断する（ステップＳ３０３）。
【０１１３】
このステップＳ３０３において、処理部７５０は、連動データ地点座標認識手段７５３で連動データ地点文字列を有していないと判断した場合、出力制御手段７５５にて、コンテンツ関連地図出力モードを終了する旨の設定入力を認識したか否かを判断する（ステップＳ３０４）。そして、ステップＳ３０４において、コンテンツ関連地図出力モードを終了する旨の設定入力を認識していると判断すると、処理を終了する。一方、ステップＳ３０４において、出力制御手段７５５は、コンテンツ関連地図出力モードを終了する旨の設定入力を認識していないと判断した場合、ステップＳ３０２に戻る。
【０１１４】
また、ステップＳ３０３において、連動データ地点座標認識手段７５３は、連動データ地点文字列を有していると判断した場合、記憶手段７３０に記憶された地点文字列対応座標情報に基づいて、この連動データ地点文字列に対応する連動データ地点座標を認識する（ステップＳ３０５）。そして、出力制御手段７５５は、連動データ地点座標の認識時に用いられた番組連動データの同期情報を取得する（ステップＳ３０６）。この後、処理部７５０は、関連地図取得手段７５４にて、地図情報記憶装置から連動データ地点座標に対応するコンテンツ関連地図情報を取得する（ステップＳ３０７）。そして、出力制御手段７５５は、例えば図６に示すように、コンテンツデータの出力を継続した状態で、このコンテンツ関連地図情報を同期情報の連動データ出力開始情報の日時から連動データ出力時間情報の時間だけ出力装置８００の表示部８２０で出力させ（ステップＳ３０８）、ステップＳ３０４の処理を実施する。
【０１１５】
〔第２の実施の形態の作用効果〕
上述したように、上記実施の形態では、コンテンツ処理装置７００の処理部７５０は、出力制御手段７５５にて、パケット復調手段７５２からのコンテンツデータを取得して、出力装置８００の表示部８２０で表示させる。この後、処理部７５０は、出力制御手段７５５でコンテンツ関連地図出力モードに設定された旨の設定入力を認識すると、連動データ地点座標認識手段７５３にて、出力装置８００で出力させているコンテンツデータの番組連動データを取得する。そして、処理部７５０は、連動データ地点座標認識手段７５３で番組連動データの内容データが地点文字列情報の文字列を有していることを認識すると、関連地図取得手段７５４にて、この文字列で示される地点に対応する地図情報をコンテンツ関連地図情報として取得する。この後、出力制御手段７５５は、コンテンツ関連地図情報を出力装置８００の表示部８２０で表示させる。
【０１１６】
このため、コンテンツ処理装置７００は、任意の番組を出力させている状態において、特定の地点に関する場面に対応する番組連動データを取得すると、この特定の地点に対応するコンテンツ関連地図情報を出力装置８００の表示部８２０で表示させることができる。したがって、コンテンツ処理装置７００は、例えば番組の特定の場面に関連する地点をコンテンツ関連地図情報により利用者に認識させることができる。よって、コンテンツ処理装置７００は、各種情報を適切に出力できる。
【０１１７】
出力制御手段７５５は、コンテンツデータの表示している表示領域８２１の右下部分のサブ表示領域８２２にコンテンツ関連地図情報を表示させる。このため、コンテンツ処理装置７００は、利用者にコンテンツデータの視聴を中断させることなくコンテンツ関連地図情報を視認させることができ、各種情報をより適切に出力できる。
【０１１８】
関連地図取得手段７５４は、地点文字列情報の文字列で示される地点の座標に対応する情報を有する地図情報をコンテンツ関連地図情報として取得する。このため、関連地図取得手段７５４は、文字列に関する情報と比べて情報量が少ない絶対座標ＺＰの情報に基づいてコンテンツ関連地図情報を特定でき、コンテンツ関連地図情報を容易に特定できる。
【０１１９】
連動データ地点座標認識手段７５３は、記憶手段７３０に記憶された地点文字列対応座標情報に基づいて、連動データ地点座標を認識する。そして、関連地図取得手段７５４は、この連動データ地点座標に基づいて、コンテンツ関連地図情報を特定する。このため、地図情報と比べて情報量が少ない地点文字列対応座標情報を利用してコンテンツ関連地図情報を特定しているので、地点文字列対応座標情報の更新を地図情報と比べて容易にでき、コンテンツ処理装置７００を最新の状況に対応した状態に容易に更新できる。
【０１２０】
出力制御手段７５５は、コンテンツ関連地図情報を同期情報の連動データ出力開始情報の日時から連動データ出力時間情報の時間だけ出力させる。このため、コンテンツ処理装置７００は、特定の地域に関する場面の出力開始とともにコンテンツ関連地図情報の出力を開始させ、この場面の出力終了とともにコンテンツ関連地図情報の出力を終了させることができ、各種情報をさらに適切に出力できる。
【０１２１】
［実施の形態の変形］
なお、本発明は、上述した一実施の形態に限定されるものではなく、本発明の目的を達成できる範囲で以下に示される変形をも含むものである。
【０１２２】
出力制御手段３２０，７５５にて、コンテンツデータの表示を継続した状態でコンテンツ関連地図情報を表示させる構成について例示したが、コンテンツデータの表示を中断してコンテンツ関連地図情報のみを表示させる構成などとしてもよい。このような構成にすれば、ナビゲーション装置２００やコンテンツ処理装置７００は、コンテンツデータとコンテンツ関連地図情報とを同時に表示させる構成と比べて、利用者にコンテンツ関連地図情報を容易に認識させることができる。したがって、ナビゲーション装置２００やコンテンツ処理装置７００は、各種情報をさらに適切に出力できる。
【０１２３】
出力制御手段３２０にて、車両の移動に関する地図情報の表示を継続した状態で設定地点に対応するコンテンツメインデータを表示させる構成について例示したが、移動に関する地図情報の表示を中断してコンテンツメインデータのみを表示させる構成などとしてもよい。このような構成にすれば、ナビゲーション装置２００は、車両の移動に関する地図情報とコンテンツデータとを同時に表示させる構成と比べて、利用者にコンテンツデータを容易に視認させることができる。したがって、ナビゲーション装置２００は、各種情報をさらに適切に出力できる。
【０１２４】
連動データ地点座標認識手段３０１，７５３にて、地点文字列対応座標情報に基づいて連動データ地点座標を認識する構成について例示したが、これに限らず例えば以下のような構成などとしてもよい。すなわち、例えば表示用データＶＭの名称情報ＶＭxＡを本発明の地図地点文字データとして機能させる。そして、連動データ地点座標認識手段３０１，７５３にて、地図情報から内容データの文字列を有する名称情報ＶＭxＡを検索し、この検索した名称情報ＶＭxＡに対応する地図情報をコンテンツ関連地図情報として取得する構成などとしてもよい。このような構成にすれば、記憶手段２５０，７３０に地点文字列対応座標情報を記憶させる必要がなくなる。したがって、記憶手段２５０，７３０の容量を小さくでき、ナビゲーション装置２００やコンテンツ処理装置７００のコストを低減できる。
【０１２５】
出力制御手段３２０，７５５にて、コンテンツ関連地図情報や設定地点に対応するコンテンツメインデータを、連動データ出力開始情報の日時から連動データ出力時間情報の時間だけ表示させる構成について例示したが、これに限らず例えば以下のような構成などとしてもよい。すなわち、出力制御手段３２０，７５５にて、コンテンツ関連地図情報や設定地点に対応するコンテンツメインデータの表示を開始してから所定時間以上経過したことを認識した際に、これらの表示を終了させる構成などとしてもよい。このような構成にすれば、出力制御手段３２０，７５５に、連動データ出力時間情報を認識する機能を設ける必要がなくなる。したがって、出力制御手段３２０，７５５の構成を簡略化でき、ナビゲーション装置２００やコンテンツ処理装置７００のコストを低減できる。
【０１２６】
また、出力制御手段３２０，７５５にて、コンテンツ関連地図情報の表示を終了する旨の地図表示終了情報や、設定地点に対応するコンテンツメインデータの表示を終了する旨のデータ表示終了情報の設定入力を認識した際に、これらの表示を終了させる構成などとしてもよい。このような構成にすれば、利用者は、コンテンツ関連地図情報や設定地点に対応するコンテンツメインデータの表示を適宜強制終了させることができる。したがって、ナビゲーション装置２００やコンテンツ処理装置７００の使い勝手を向上できる。
【０１２７】
出力制御手段３２０，７５５にて、コンテンツ関連地図情報や設定地点に対応するコンテンツメインデータをサブ表示領域４２２，８２２で表示させる構成について例示したが、これに限らず例えば以下のような構成などとしてもよい。すなわち、出力制御手段３２０，７５５にて、例えばコンテンツ関連地図情報に関連付けられた地図関連付け情報としての関連地図表示アイコンを表示させる。そして、この関連地図表示アイコンを選択した旨の地図表示選択情報の設定入力を認識した際に、サブ表示領域４２２，８２２や図示しない関連地図表示領域にコンテンツ関連地図情報を表示させる構成などとしてもよい。また、設定地点に対応するコンテンツメインデータに関連付けられ番組関連付け情報としてのコンテンツ表示アイコンを表示させ、このコンテンツ表示アイコンを選択した旨のコンテンツ表示選択情報の設定入力を認識した際に、サブ表示領域４２２，８２２や図示しないコンテンツデータ表示領域に設定地点に対応するコンテンツメインデータを表示させる構成などとしてもよい。これらのような構成にすれば、利用者は、コンテンツ関連地図情報や設定地点に対応するコンテンツメインデータを適宜好みのタイミングで表示させることができる。したがって、ナビゲーション装置２００やコンテンツ処理装置７００の使い勝手をさらに向上できる。
【０１２８】
処理部２７０，７５０に、地図情報に対応する地点に関連する地図関連付け情報、例えばイベントや店舗に関する情報などを取得する地図関連付け情報取得手段を設ける。そして、出力制御手段３２０，７５５にて、コンテンツ関連地図情報の地点に関連する地図関連付け情報を表示させる構成などとしてもよい。このような構成にすれば、ナビゲーション装置２００やコンテンツ処理装置７００は、上記実施の形態の構成と比べて、表示部４２０で表示された場面に対応するより多くの情報を表示させることができる。したがって、ナビゲーション装置２００やコンテンツ処理装置７００は、各種情報をさらに適切に出力できる。
【０１２９】
ナビゲーション装置２００に、コンテンツ関連地図情報および設定地点に対応するコンテンツメインデータを出力させる機能を設けた構成について例示したが、これに限らずいずれか一方の機能のみを設けた構成などとしてもよい。このような構成にすれば、出力制御手段３２０の構成を簡略化できる。したがって、ナビゲーション装置２００のコストをより低減できる。
【０１３０】
出力制御手段３２０を本発明の内容データ出力制御手段として、出力装置４００を本発明の内容データ出力手段として、それぞれ機能させる。そして、出力制御手段３２０にて、設定地点に対応するコンテンツメインデータに加え番組連動データを出力装置４００で出力させる構成などとしてもよい。このような構成にすれば、ナビゲーション装置２００は、コンテンツメインデータのみを出力させる構成と比べてより多くの情報を出力させることができる。したがって、ナビゲーション装置２００は、各種情報をさらに適切に出力できる。
【０１３１】
出力制御手段３２０にて、利用者により選択されたコンテンツメインデータの非番組連動データが設定地点を示す文字列を有していることを認識した際に、移動に関する地図情報とともに、設定地点に対応する非番組連動データを出力させる構成などとしてもよい。また、コマーシャルを出力させるためのデータが設定地点を示す文字列を有していることを認識した際に、移動に関する地図情報とともに、設定地点に対応するコマーシャルを出力させる構成などとしてもよい。これらのような構成にすれば、ナビゲーション装置２００は、設定地点に対応するコンテンツメインデータに加え番組非連動データやコマーシャルも出力させることができる。したがって、ナビゲーション装置２００は、各種情報をさらに適切に出力できる。
【０１３２】
出力制御手段３２０に、撮像手段５００で撮像された外部映像に存在する文字列を内容データが有していることを認識した際に、この内容データの文字列で示される地点に対応する例えばコンテンツ関連地図情報を出力させる機能を設けた構成について例示したが、このような機能を設けない構成などとしてもよい。このような構成にすれば、ナビゲーションシステム１００に撮像手段５００を設ける必要がなくなる。さらに、ナビゲーション装置２００に、外部映像地点座標認識手段３０３を設ける必要がなくなる。したがって、ナビゲーションシステム１００やナビゲーション装置２００の構成を簡略化でき、これらのコストを低減できる。
【０１３３】
現在位置認識手段２８１を本発明の現在位置情報取得手段として、経路処理手段２８３を本発明の経路探索手段として、出力制御手段３２０を本発明の経路出力制御手段として、出力装置４００を本発明の経路出力手段として、それぞれ機能させる。そして、経路処理手段２８３にて、車両の現在位置から内容文字データが有する地点文字列情報の地点までの移動経路を設定する。さらに、出力制御手段３２０にて、この設定した移動経路を出力装置４００で出力させる構成などとしてもよい。このような構成にすれば、ナビゲーション装置２００は、任意の番組の特定の場面に関連する地点までの移動経路を利用者に報知できる。したがって、ナビゲーション装置２００の利便性を向上できる。
【０１３４】
処理部２７０，７５０に、特定の地点に関する場面のコンテンツメインデータとともに、この特定の地点に対応するコンテンツ関連地図情報を記憶手段２５０，７３０に記憶させる記憶制御手段を設ける構成などとしてもよい。また、処理部２７０に、地図情報とともに、この地図情報の任意の地点に関する場面のコンテンツメインデータを記憶手段２５０に記憶させる記憶制御手段を設ける構成などとしてもよい。これらのような構成にすれば、利用者は、特定の地点に関する場面とともに、この特定の地点に対応する地図情報を適宜好みのタイミングで視聴できる。したがって、ナビゲーション装置２００やコンテンツ処理装置７００の利便性をより向上できる。
【０１３５】
上述したような記憶制御手段を設けた構成において、出力制御手段３２０を本発明の地図対応番組出力制御手段として、出力装置４００を本発明の地図対応番組出力手段として、それぞれ機能させる。さらに、処理部２７０に、表示部４２０で表示させている例えば経路処理手段２８３で設定した移動経路に関する地図情報を記憶手段２５０から検索し、この検索した地図情報とともに記憶されたコンテンツメインデータを取得する地図対応番組取得手段を設ける。そして、出力制御手段３２０にて、地図対応番組取得手段で取得したコンテンツメインデータを出力装置４００で出力させる構成などとしてもよい。このような構成にすれば、ナビゲーション装置２００は、表示部４２０で表示させている例えば移動経路の地点に関する場面が放送されていない時間帯であっても、この場面のコンテンツメインデータを記憶手段２５０から適宜取得して出力装置４００で出力させることができる。したがって、ナビゲーション装置２００の利便性をさらに向上できる。
【０１３６】
上述したような記憶制御手段を設けた構成において、出力制御手段３２０を本発明の現在位置対応番組出力制御手段として、出力装置４００を本発明の現在位置対応番組出力手段として、それぞれ機能させる。さらに、処理部２７０に、現在位置情報の現在位置を含む地図情報を記憶手段２５０から検索し、この検索した地図情報とともに記憶されたコンテンツメインデータを取得する現在位置対応番組取得手段を設ける。そして、出力制御手段３２０にて、現在位置対応番組取得手段で取得したコンテンツメインデータを出力装置４００で出力させる構成などとしてもよい。このような構成にすれば、ナビゲーション装置２００は、現在位置に関する場面が放送されていない時間帯であっても、この場面のコンテンツメインデータを記憶手段２５０から適宜取得して出力装置４００で出力させることができる。したがって、ナビゲーション装置２００の利便性をさらに向上できる。
【０１３７】
本発明の出力制御装置をコンテンツデータを出力させるナビゲーション装置２００やコンテンツ処理装置７００に適用した構成について例示したが、これに限られない。例えば、データとしては、ＴＶ放送番組の他、ラジオ放送番組、衛星放送番組、さらにはネットワークを介して配信される映像データなども対象とすることができる。また、ナビゲーション装置２００の記憶手段２５０、コンテンツ処理手段２９０、地点座標認識処理手段３００、関連地図取得手段３１０などを、図示しないサーバ装置に設ける。そして、このサーバ装置から送信されるコンテンツデータ、地図情報、コンテンツ関連地図情報、設定地点に対応するコンテンツメインデータなどをナビゲーション装置２００の制御により出力装置４００で出力させる構成などとしてもよい。さらに、コンテンツ処理装置７００の記憶手段７３０、ＴＳ処理手段７５１、パケット復調手段７５２、連動データ地点座標認識手段７５３、関連地図取得手段７５４などを、図示しないサーバ装置に設ける。そして、このサーバ装置から送信されるコンテンツデータ、地図情報、コンテンツ関連地図情報、設定地点に対応するコンテンツメインデータなどをコンテンツ処理装置７００の制御により出力装置８００で出力させる構成などとしてもよい。
【０１３８】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１３９】
その他、本発明の実施の際の具体的な構造および手順は、本発明の目的を達成できる範囲で他の構造などに適宜変更できる。
【０１４０】
［実施形態の作用効果］
上述したように、上記実施形態では、ナビゲーション装置２００の処理部２７０は、出力制御手段３２０にて、コンテンツ処理手段２９０からのコンテンツデータを取得して、出力装置４００の表示部４２０で表示させる。この後、処理部２７０は、連動データ地点座標認識手段３０１にて、出力装置４００で出力させているコンテンツデータの番組連動データを取得する。そして、処理部２７０は、連動データ地点座標認識手段３０１で番組連動データの内容データが地点文字列情報の文字列を有していることを認識すると、関連地図取得手段３１０にて、この文字列で示される地点に対応する地図情報をコンテンツ関連地図情報として取得する。この後、出力制御手段３２０は、コンテンツ関連地図情報を出力装置４００の表示部４２０で表示させる。
【０１４１】
このため、ナビゲーション装置２００は、任意の番組を出力させている状態において、特定の地点に関する場面に対応する番組連動データを取得すると、この特定の地点に対応するコンテンツ関連地図情報を出力装置４００の表示部４２０で表示させることができる。したがって、ナビゲーション装置２００は、各種情報を適切に出力できる。
【０１４２】
また、ナビゲーション装置２００の処理部２７０は、出力制御手段３２０にて、ナビゲーション処理手段２８０からの車両の移動に関する地図情報を取得して、出力装置４００の表示部４２０で表示させる。この後、処理部２７０は、設定地点座標認識手段３０２にて、設定地点情報を取得する。そして、設定地点座標認識手段３０２は、設定地点情報に基づいて設定地点を認識すると、ナビゲーション処理手段２８０から移動に関する各種情報を適宜取得して、設定地点に対応する地点を特定する。また、処理部２７０は、連動データ地点座標認識手段３０１にて、利用者により予め選択されているコンテンツデータの番組連動データを取得する。そして、処理部２７０は、連動データ地点座標認識手段３０１で番組連動データの内容データが設定地点に対応する地点を示す文字列を有していることを認識すると、出力制御手段３２０にて、この番組連動データに対応する、すなわち設定地点に対応するコンテンツメインデータを取得する。この後、出力制御手段３２０は、コンテンツメインデータを出力装置４００の表示部４２０で表示させる。
【０１４３】
このため、ナビゲーション装置２００は、車両の移動に関する地図情報を出力装置４００の表示部４２０で表示させている状態において、例えば車両の現在位置から半径１キロメートル圏内の地点に関する場面に対応する番組連動データを取得すると、この地点に関する場面を表示部４２０で表示させることができる。したがって、ナビゲーション装置２００は、各種情報を適切に出力できる。
【０１４４】
さらに、コンテンツ処理装置７００の処理部７５０は、出力制御手段７５５にて、パケット復調手段７５２からのコンテンツデータを取得して、出力装置８００の表示部８２０で表示させる。この後、処理部７５０は、連動データ地点座標認識手段７５３にて、出力装置８００で出力させているコンテンツデータの番組連動データを取得する。そして、処理部７５０は、連動データ地点座標認識手段７５３で番組連動データの内容データが地点文字列情報の文字列を有していることを認識すると、関連地図取得手段７５４にて、この文字列で示される地点に対応する地図情報をコンテンツ関連地図情報として取得する。この後、出力制御手段７５５は、コンテンツ関連地図情報を出力装置８００の表示部８２０で表示させる。
【０１４５】
このため、コンテンツ処理装置７００は、任意の番組を出力させている状態において、特定の地点に関する場面に対応する番組連動データを取得すると、この特定の地点に対応するコンテンツ関連地図情報を出力装置８００の表示部８２０で表示させることができる。したがって、コンテンツ処理装置７００は、各種情報を適切に出力できる。
【図面の簡単な説明】
【０１４６】
【図１】本発明の第１の実施の形態に係るナビゲーションシステムの概略構成を示すブロック図である。
【図２】前記第１の実施の形態および本発明の第２の実施の形態に係る地図情報を構成する表示用データのテーブル構造を模式的に示す概念図である。
【図３】前記第１の実施の形態における地図情報を構成するマッチングデータのテーブル構造を模式的に示す概念図である。
【図４】前記第１の実施の形態におけるナビゲーション装置を構成する処理部の概略構成を示すブロック図である。
【図５】前記第１の実施の形態における表示画面の一例を示す模式図である。
【図６】前記第１の実施の形態および前記第２の実施の形態における表示画面の一例を示す模式図である。
【図７】前記第１の実施の形態における設定地点に基づく出力制御モード時の処理を示すフローチャートである。
【図８】前記第１の実施の形態における外部映像に基づく出力制御モード時の処理を示すフローチャートである。
【図９】前記第２の実施の形態におけるコンテンツ処理システムの概略構成を示すブロック図である。
【図１０】前記第２の実施の形態におけるコンテンツ処理装置を構成する処理部の概略構成を示すブロック図である。
【図１１】前記第２の実施の形態におけるコンテンツ関連地図出力モード時の処理を示すフローチャートである。
【符号の説明】
【０１４７】
２５０，７３０    記憶手段
２７０，７５０    演算手段としての処理部
２８１    現在位置情報取得手段としても機能しうる現在位置認識手段
２８３    経路探索手段としても機能しうる経路処理手段
３０１，７５３    出力制御装置を構成する、内容データ取得手段および検索手段としても機能する連動データ地点座標認識手段
３０２    出力制御装置を構成する、経路地点情報取得手段としても機能する設定地点座標認識手段
３０３    出力制御装置を構成する、景観地点情報認識手段としても機能する外部映像地点座標認識手段
３１０，７５４    出力制御装置を構成する、地図情報取得手段である関連地図取得手段
３２０    出力制御装置を構成する、内容データ出力制御手段、経路出力制御手段、地図対応番組出力制御手段、および、現在位置対応番組出力制御手段としても機能しうる、番組データ取得手段、配信日時情報取得手段、および、表示制御手段としても機能する出力制御手段
４００    内容データ出力手段、経路出力手段、地図対応番組出力手段、および、現在位置対応番組出力手段としても機能しうる出力装置
４２０，８２０    表示手段である表示部
７５５    出力制御装置を構成する、番組データ取得手段、配信日時情報取得手段、および、表示制御手段としても機能する出力制御手段
ＶＭxＡ    地図地点文字データとしても機能しうる名称情報
【図１】
2006017537.tif 000003
【図２】
2006017537.tif 000004
【図３】
2006017537.tif 000005
【図４】
2006017537.tif 000006
【図５】
2006017537.tif 000007
【図６】
2006017537.tif 000008
【図７】
2006017537.tif 000009
【図８】
2006017537.tif 000010
【図９】
2006017537.tif 000011
【図１０】
2006017537.tif 000012
【図１１】
2006017537.tif 000013